(57)【要約】本と、スライド自在な本の表紙の空洞の中に収納されるＣＤホルダなどのスライド自在な記憶媒体ホルダとの組合せである。スライド自在な本の表紙は、ＣＤホルダがスライドして、代わりに本に関連したＣＤを内蔵または露出させることができるよう設計されている。スライド自在な本の表紙は、スライド自在な本の表紙が閉じた位置にある時、ＣＤを見る切り抜きをさらに含む。
2006523158.tif 000002
【特許請求の範囲】
【請求項１】
記憶媒体用の保持物を持つ本であって、
少なくとも１つの記憶媒体を収納する記憶媒体ホルダ；および
上記記憶媒体ホルダを収納する内部空洞を持ち、本の表紙が上記記憶媒体ホルダに対して開いた位置に移動させられた時、少なくとも１つの記憶媒体が上記記憶媒体ホルダから取り出すことのできるように、かつ上記本の表紙が閉じた位置に移動させられた時、上記記憶媒体ホルダが上記本の表紙の内部空洞の中に収納されるように、閉じた位置から開いた位置にスライド自在でありかつ移動方向に沿ってスライド自在である本の表紙
を備えることを特徴とする本。
【請求項２】
上記本の表紙に位置され、少なくとも１つの記憶媒体の少なくとも一部が、上記本の表紙が閉じた位置にある時、切り抜きを通して見ることのできるように配置された切り抜きをさらに備えることを特徴とする請求項１に記載の本。
【請求項３】
上記記憶媒体ホルダおよび上記本の表紙が互いに係合して固定されるように、上記本の表紙が開いた位置に移動された時、記憶媒体ホルダの突出部および本の表紙の突出部が互いに係合するように、上記記憶媒体ホルダおよび上記本の表紙の両方が突出部を持つことを特徴とする請求項１に記載の本。
【請求項４】
上記本の表紙が、閉じた位置の時に、スライド自在な本の表紙の一端と本の装丁とが接する継ぎ目をさらに備えることを特徴とする請求項１に記載の本。
【請求項５】
上記本の表紙が堅い材料をさらに含むことを特徴とする請求項１に記載の本。
【請求項６】
上記本の表紙が上記堅い材料の周りの覆いをさらに備えることを特徴とする請求項５に記載の本。
【請求項７】
上記本の表紙が、上記堅い材料と上記覆いとの間に詰め物材料をさらに備えることを特徴とする請求項６に記載の本。
【請求項８】
上記記憶媒体ホルダが、凹部と少なくとも１つの記憶媒体の中央の穴と挿嵌するステムとを備えることを特徴とする請求項１に記載の本。
【請求項９】
少なくとも１つの記憶媒体を収納する記憶媒体ホルダ；
第１の部分および第２の部分を持ち、上記第１の部分が、その中に、上記記憶媒体ホルダの少なくとも一部を収納する内部空洞を持つ表紙；および
スライド自在に取り付けられた上記記憶媒体ホルダを持ち、中に記憶媒体ホルダの少なくとも一部を収納する内部空洞を持つ第２の部分を備え、
上記第２の部分および上記記憶媒体ホルダが開いた位置に移動させられた時、少なくとも１つの記憶媒体が上記記憶媒体ホルダから取り出し可能になり、上記第２の部分および上記記憶媒体ホルダが閉じた位置に移動させられた時、少なくとも１つの記憶媒体が上記第１の部分および上記第２の部分の両方の内部空洞の中に収納されるように、上記記憶媒体ホルダが、上記第１の部分に対する移動方向に沿ってスライド自在であり、かつ、上記第２の部分が、上記記憶媒体ホルダに対する移動方向に沿ってスライド自在であることを特徴とする本。
【請求項１０】
上記第１の部分がさらに第１の端部を備え、上記第２の部分がさらに第２の端部を備え、上記第１の端部および上記第２の端部が、上記本の表紙が閉じた位置の時に接することを特徴とする請求項９に記載の本。
【請求項１１】
上記第２の部分が開いた位置に移動させられた時、上記記憶媒体ホルダおよび上記第２の部分が互いに係合して固定されるように、記憶媒体ホルダの突出部および第２の部分の突出部が互いに係合し、上記記憶媒体ホルダが開いた位置に移動させられた時、上記記憶媒体ホルダおよび上記第１の部分が互いに係合して固定されるように、記憶媒体ホルダの突出部および第２の部分の突出部が互いに係合するように、上記記憶媒体ホルダ、上記第１の部分および上記第２の部分が各々突出部を持つことを特徴とする請求項９に記載の本。
【請求項１２】
少なくとも１つの記憶媒体がその上に意匠をもつ上面を持ち、上記意匠が関連する本を示す意匠を持つことを特徴とし、少なくとも１つの記憶媒体の上面の少なくとも一部が、上記本の表紙が閉じた位置の時、上記切り抜きを通して見ることができることを特徴とする請求項１１に記載の本。
【請求項１３】
上記本の表紙が板材料をさらに含むことを特徴とする請求項９に記載の本。
【請求項１４】
上記本の表紙が上記板材料の周りにプラスティックの覆いをさらに含むことを特徴とする請求項１３に記載の本。
【請求項１５】
上記本の表紙が、上記板材料および上記プラスティックの覆いの間に詰め物材料をさらに含むことを特徴とする請求項１４に記載の本。
【請求項１６】
上記記憶媒体ホルダが、凹部と少なくとも１つの記憶媒体の中央の穴と挿嵌するステムとを備えることを特徴とする請求項９に記載の本。
【請求項１７】
本と共に使用するコンパクトディスク保持物であって、
少なくとも１枚のコンパクトディスクを収納するコンパクトディスクホルダと；
本の表紙と
を備えることを特徴とし、
上記本の表紙は、
本の装丁に一端で結合され、取り付けられた上記コンパクトディスクホルダを持つ第１の部分；および
スライド自在に取り付けられた上記コンパクトディスクホルダを持ち、中に上記コンパクトディスクホルダの少なくとも一部を収納する内部空洞を持つ第２の部分をもち；
上記第２の部分が開いた位置に移動させられた時、少なくとも１枚のコンパクトディスクが上記コンパクトディスクホルダから取り出すことができ、上記第２の部分が閉じた位置に移動させられた時、少なくとも１枚のコンパクトディスクが上記第２の部分の内部空洞の中に収納されるように、上記第２の部分が上記コンパクトディスクホルダに対する移動方向に沿ってスライド自在であることを特徴とする
コンパクトディスク保持物。
【請求項１８】
上記本の表紙に位置され、上記本の表紙が閉じた位置の時に、少なくとも１枚のコンパクトディスクの少なくとも一部が、切り抜きを通して見ることができるように、上記第１の部分の一端に沿って、かつ上記第２の部分の一端に沿って配置される上記切り抜きをさらに備えることを特徴とする請求項１７に記載のコンパクトディスク保持物。
【請求項１９】
上記第２の部分が開いた位置に移動させられた時、上記コンパクトディスクホルダおよび上記第２の部分が互いに係合して固定されるようにコンパクトディスクホルダの突出部および第２の部分の突出部が互いに係合するように、かつ、上記コンパクトディスクホルダが開いた位置に移動させられた時、上記コンパクトディスクホルダおよび上記第１の部分が互いに係合して固定されるようにコンパクトディスクホルダの突起および第１の部分の突起が互いに係合するように、上記コンパクトディスクホルダ、上記第１の部分および上記第２の部分各々が突出部を持つことを特徴とする請求項１８に記載のコンパクトディスク保持物。
【請求項２０】
記憶媒体用の保持物を持つ本であって、
少なくとも１つの記憶媒体を収納する記憶媒体ホルダ；および
閉じた位置から開いた位置に移動自在であって、上記記憶媒体ホルダが本の表紙に対して開いた位置に移動させられた時、少なくとも１つの記憶媒体が、上記記憶媒体ホルダから取り出すことができ、上記記憶媒体が閉じた位置に移動させられた時、上記記憶媒体ホルダが上記本の表紙の内部空洞の中に収納されるように、移動方向にスライド自在である記憶媒体ホルダを収納する内部空洞を持つ本の表紙
を備えることを特徴とする本。
【発明の詳細な説明】
【技術分野】
【０００１】
本発明は、コンパクトディスクホルダを本の表紙に組み入れた本に関する。
【背景技術】
【０００２】
長年の間、本は、その本に関連する前もって記録された資料と共に、公衆に提供されてきた。例えば、本は、その本に関連するオーディオテープも含む包装で提供されてきた。これらは、多くの人の娯楽の材料、また子供への価値ある教育支援材料であることが分かっている。
【０００３】
しかし、新しい技術の出現により、コンパクトディスク、ＤＶＤおよび他の光およびデジタル記憶装置などの記憶媒体の使用が、それらの大容量記憶能力、それらの小型で薄い外形、およびそれらの長寿命のために、記憶媒体としてのテープの使用よりも好まれるようになった。ＣＤまたはＤＶＤが他の記憶媒体よりも多くの長所を持っているかもしれないけれども、ＣＤまたはＤＶＤは、いまだに光読み取り表面の傷などの損傷を受けやすく、それによってＣＤ／ＤＶＤを使用不能にする可能性がある。したがって、個々の保護ケースが広く利用されて、ＣＤ／ＤＶＤを損傷から保護している。しかし、本がＣＤ／ＤＶＤと共に販売される時、しばしば、本およびＣＤ／ＤＶＤケースは、特に、例えば幼児により頻繁に使用されると、互いに分離してしまう。
【０００４】
代わりに、特に本／ＣＤまたは本／ＤＶＤの組合せに関して、本および中に位置されるＣＤに関して別々の場所を持つ大きなケースが利用されてきた。これはＣＤのためのある程度の保護を提供してきたけれども、このケースは、本とＣＤとが全て中に収まるように、必ず比例して大きくなってきた。これは、例えば大きなゲーム盤を含む子供用の本にとっては特にそうである。しかし、とても大きなケースを持つと、これらの大きなケースは標準的な大きさの本棚に収まらないため、多くの場合望ましくなくなる。大きなケースのもう１つの欠点は、ケースが閉じられた時、ＣＤ／ＤＶＤが見えなくなる点である。子供は使用していたアイテムをよくしまい忘れるため、特に子供用の本に使用されると欠点になりうる。このケースは容易に閉じることができ、子供が見ることができ、ＣＤがしまわれていないことを示すものがない。
【０００５】
代わりに、ＣＤ／ＤＶＤが配置可能な本の内表紙にケースを貼ることが知られている。これらのケースは、しばしば紙または可撓性のあるプラスティック材料から出来ていた。しかし、これらのケースは、ＣＤ／ＤＶＤを完全には包むことができず、保護できず、これらのタイプのケースは、著しく品質劣化させないで頻繁かつ繰り返し使用するには一般的に耐えない。加えて、これらのタイプのケースにより大きなケースは必要なくなるけれども、これは、本の表紙にＣＤが挿入されて閉じられた時、本の装丁が分かれるような、本を損傷する傾向もあった。これは、本の使用と共に本の寿命が著しく劣化するので、望ましくない。これは、時には毎週、または毎日、子供が、何度もＣＤを聞くけれども、頻繁に本の中にしまって読み上げる子供用の本にとっては特にそうである。この構成も、前に述べたものと同じ欠点を持つ、すなわち、本を閉じた時にＣＤが見えない。
【発明の開示】
【発明が解決しようとする課題】
【０００６】
したがって、望まれるのは、デジタル媒体記憶フォーマットを保持して、記憶媒体を損傷から効果的に保護し、同時に、小型の外形を備える本とＣＤ／ＤＶＤホルダまたは区画とを組み合わせた物である。
【０００７】
また望まれるのは、本とＣＤとの包装を容易にする本とＣＤホルダとを組み合わせた物を提供することである。
【０００８】
さらに望まれるのは、耐久性があり、繰り返しの使用により著しく劣化しない本とＣＤホルダとを組み合わせた物を提供することである。
【０００９】
さらに望まれるのは、例えば表紙および装丁の変形によるＣＤへの損傷に耐性のある本とＣＤホルダとを組み合わせた物を提供することである。
【００１０】
さらに望まれるのは、閉じた時に、個人が、ＣＤがＣＤホルダの中に配置されているか否かを視覚的に認識できる本とＣＤホルダとを組み合わせた物を提供することである。
【課題を解決するための手段】
【００１１】
本発明のこれらのおよび他の目的は、ＣＤ／ＤＶＤホルダが本の表紙のスライド部材に直接組み入れられた有利な実施の形態により達成される。
【００１２】
本発明は、例えば、閉じ位置から開き位置に移動してＣＤまたは他のデジタル記憶媒体を出し入れ自在にさせるような、複数の断片で形成された表表紙を備えた本を含んでもよい。代わりに、ＣＤ／ＤＶＤ区画を備えたトレイが、本の表紙の一片からスライドして出入りしてＣＤ／ＤＶＤを露出させてもよい。表紙の内部空洞の中に、ＣＤ／ＤＶＤが中に収まった本に関連するかもしれないＣＤ／ＤＶＤを保持するＣＤ／ＤＶＤホルダが位置される。本の表紙は、表紙の一部を本の装丁から離す方向に移動させて、中に格納したＣＤを出し入れ自在にすることにより、スライドして開けることができる。種々の他の実施の形態は、他の表紙部分に内蔵された分離したＣＤ保持トレイに保持されたＣＤを備えてもよい。
【００１３】
ＣＤまたは他のデジタル記憶媒体を内蔵する本の表紙は、他の本のページが綴じられた共通の装丁に綴じられている。スライドして開けられる表紙のスライド自在部は、本の端部の小さな部分から、装丁に沿って表紙のほとんど全体まで任意の部分であってよい。例えば、図に示された種々の実施の形態は、表紙のおおよそ半分の部分がスライドして開けられる表紙か、または表紙の実質的に大部分がスライドして開けられる表紙を示している。開けられた時、表紙は、ＣＤまたは他のデジタル記憶媒体を取り外しできるようにする。代わりに他の実施の形態は、本の表表紙または裏表紙の頂部、側部、または底部からスライドして開けられるトレイ上の部材を持つ。
【００１４】
本の表紙は、本の表紙部分が閉じられた位置にある時、ホルダの中のＣＤを見ることのできる切り抜きを含んでもよい。切り抜きは、表紙の１つの部分の中に完全に収まるか、または１つの開口部を形成する継ぎ目で接合される異なる表紙部分の部分的開口部から成っていてもよい。加えて、各表紙の複数の切り抜きが使用されてもよい。これらの切り抜きにより、ＣＤが本の中に入っているか否かを素速く認識できる。この開口部により、ＣＤとＣＤの上の任意のアートワークが、本の表紙の全体の図形意匠の一部になり、かつ組み込まれる。
【００１５】
１つの有利な実施の形態では、コンパクトディスク保持物は、少なくとも１枚のコンパクトディスクを収納するコンパクトディスクホルダ、およびコンパクトディスクホルダを収納する内部空洞を持つ本の表紙を備えて提供される。本の表紙または本の表紙の一部は、本の表紙がコンパクトディスクホルダに対して開いた位置に移動させられた時、少なくとも１枚のコンパクトディスクがコンパクトディスクホルダから取り外しできるように、本の表紙が閉じられた位置に移動させられた時、コンパクトディスクホルダが本の表紙の内部空洞の中に収まるように、移動方向に沿ってスライド自在なように設けられる。
【００１６】
もう１つの有利な実施の形態では、コンパクトディスク保持物が、少なくとも１枚のコンパクトディスクを収納するコンパクトディスクホルダを備えて提供される。この保持物は、一端を本の装丁に結合され、スライド自在にそこに取り付けられたコンパクトディスクホルダを持つ第１の部分を持つ本の表紙を備え、上記第１の部分は、その中にコンパクトディスクホルダの少なくとも一部を収納する内部空洞を持つ。本の表紙は、そこにスライド自在に取り付けられたコンパクトディスクホルダを持つ第２の部分も持ち、上記第２の部分は、その中にコンパクトディスクホルダの少なくとも一部を収納する内部空洞を持つ。保持物は、第２の表紙部分およびコンパクトディスクホルダが開いた位置に移動させられた時コンパクトディスクがコンパクトディスクホルダから取り出せるようにかつ第２の部分およびコンパクトディスクホルダが閉じられた位置に移動させられた時コンパクトディスクが第１および第２の部分の両方の内部空洞に収まるように、コンパクトディスクホルダが第１の表紙部分に対する移動方向に沿ってスライド自在であるように、および第２の表紙部分がコンパクトディスクホルダに対する移動方向に沿ってスライド自在であるように設けられる。
【００１７】
もう１つの実施の形態では、本の表紙は、ＣＤ／ＤＶＤホルダまたはトレイを備える内部空洞を持つ。ホルダは、表紙に対して閉じた位置から開いた位置にスライド自在であって、ホルダまたはトレイから取り出させる。一旦開いた位置にスライドされてトレイに出し入れできるようになったホルダまたはトレイは、出し入れを提供して、ＣＤ／ＤＶＤの使用後にトレイの中でＣＤ／ＤＶＤを交換でき、ホルダまたはトレイを閉じた位置にスライドして戻すことができる。
【００１８】
もう１つの有利な実施の形態では、コンパクトディスクは、コンパクトディスク保持物が少なくとも１枚のコンパクトディスクを収納するコンパクトディスクホルダと本の表紙とを備える。本の表紙は、一端を本の装丁に結合され、そこに取り付けられたコンパクトディスクホルダを持つ第１の部分を持つ。本の表紙は、そこにスライド自在に取り付けられたコンパクトディスクホルダを持つ第２の部分も持ち、上記第２の部分は、その中にコンパクトディスクホルダの少なくとも一部を収納する内部空洞を持つ。上記第２の部分が開いた位置に移動させられた時少なくとも１枚のコンパクトディスクがコンパクトディスクホルダから取り外しできるようにかつ第２の部分が閉じた位置に移動させられた時少なくとも１枚のコンパクトディスクが第２の部分の内部空洞に収納されるように、コンパクトディスクホルダに対する移動方向に沿って第２の部分がスライド自在であるように保持部がさらに設けられる。
【発明を実施するための最良の形態】
【００１９】
本発明およびその特別な特徴と効果は、添付の図を参照した以下の発明を実施するための最良の形態からより明らかになる。
【００２０】
以下、添付の図を参照して発明の実施の形態を説明する。
【００２１】
図１は本発明の１つの有利な実施の形態にかかる一体型ＣＤホルダ１２を備えた本を示す。本１０は、閉じた位置のスライド自在な表紙１４と共に描かれている。
【００２２】
スライド自在な表紙１４は、第１の部分１６から構成されていて、その第１の部分１６は一端を本１０の装丁に取り付けられている。スライド自在な表紙１４は、第２の部分１８からも構成されていて、その第２の部分１８は、第１の部分１６と第２の部分１８とが接合する継ぎ目を形成する。しかし、スライド自在な表紙１４が閉じた位置にある時、第１の部分１６および第２の部分１８は接する必要がないように意図している。むしろ、スライド自在な表紙１４が閉じた位置にある時、第１の部分１６および第２の部分１８の間に間隔が残されていてもよい。
【００２３】
一部が第１の部分１６に位置し、一部が第２の部分１８に位置する切り抜き２２が図１にも示されている。スライド自在な表紙１４が閉じられた時、ＣＤ２４または他の記憶媒体は切り抜き２２を通して見ることができる。この方法で、ＣＤ２４がＣＤホルダ１２の中にしまわれているか否かを個人が即座に判断できる。切り抜き２２は、図１において、丸い頂部とまっすぐな側部および底部をもつ窓として示されているけれども、切り抜き２２のための任意の形状が利用でき、複数の切り抜きが使用できることを意図している。典型的に、ＣＤ２４は、（本に対して）光読み取り可能面および光読み取り不能面と共に設けられ、どの情報がディスク上に記憶されているかを示す。ＣＤ２４が関連する本１０に関連する索引は、切り抜き２２を通してみることができ、本１０のデザイン性のある外観に加わるようにＣＤ２４の光読み取り不能面に配置されてもよい。
【００２４】
またさらに意図しているのは、ＣＤ２４がＣＤホルダ１２から取り外された時、索引が見えるように、索引がＣＤホルダ１２の上に配置されてもよい。
【００２５】
図１に示されているように、本１０は複数のページ２６を含む。ページ２６は、紙または一般的に子供用の本に使用される堅い板のような他の材料を含んでもよい。複数のページ２６は装丁２８に閉じられている。複数のページ２６およびスライド自在な表紙１４の第２の部分１８は、丸い角を持って示されているけれども、これは必須ではなく、任意の所望の形状を含んでもよい。さらに、スライド自在な表紙１４は複数のページと同じ寸法を持って示されているけれども、スライド自在な表紙１４が任意の所望の寸法を持ってもよいので、これは必須ではない。
【００２６】
図２は、複数のページ２６およびスライド自在な表紙１４を示す本１０の上面図である。前に述べたように、複数のページ２６は図２で堅い板の材料として示されているけれども、それらは、代わりに紙または任意の他の適切な材料を含んでもよい。実際、スライド自在な表紙１４は、任意のタイプの装丁された印刷材料と共に利用されてもよいように意図している。本発明は、らせん綴じ、くるみ製本、および縫い綴じを含むがそれらに限定されない任意のタイプの装丁を使用することを意図している。スライド自在な表紙１４は個々のページ２６よりも厚いことが分かる。これにより、ＣＤホルダ１２がスライド自在な表紙１４の内側に位置される。また、１枚のＣＤ２４のみがＣＤホルダ１２の中に描かれているけれども、１枚以上のＣＤ２４または記憶媒体が、ＣＤホルダ１２の中に、例えば積み重ねの配置で含まれていてもよいことを意図している。
【００２７】
図２は、第１の部分１６および第２の部分１８がＣＤホルダを囲む完全に分離した断片であることを示す継ぎ目２０をさらに示している。加えて、スライド自在な表紙１４の第１の部分は、本１０の強さおよび耐久性をさらに加えるように装丁２８に一体的に結合されている。
【００２８】
図３は、開いた位置のスライド自在な表紙１４を備えた本１０を示す。スライド自在な表紙１４は、ＣＤ２４が取り外せるように矢印により示される横方向に移動できる。スライド自在な表紙１４を開けるために、第１の部分１６から第２の部分１８を横方向に引き離すよう意図している。第２の部分１８は第１の部分１６およびＣＤホルダ１２に対して移動してＣＤ２４を露出させる。第２の部分１８は、横方向に最大移動して、第２の部分１８の空洞３０の中に位置されるＣＤ２４の側面を露出させるけれども、ＣＤホルダ１２は第１の部分１６に対して横方向に最大移動して第１の部分１６の空洞３２の中に位置されるＣＤ２４のもう一方の側面を露出させる。停止手段が第１の部分１６および第２の部分１８の中に設けられて、ＣＤホルダ１２から分離するのを防ぐ。
【００２９】
記憶媒体ホルダ、この場合、ＣＤホルダ１２は、その中にＣＤ２４を配置する凹部３４を備える。ＣＤホルダ１２は、さらに、ＣＤ２４の中央に位置される穴と係合するステム（ｓｔｅｍ）３６を備えて、挿嵌によりＣＤホルダ１２の中でＣＤ２４を担持する。
【００３０】
スライド自在な表紙１４は、第１の部分１６と第２の部分１８とがバラバラになってＣＤ２４を露出させないような接続部をさらに含む。接続部は第１の部分１６および第２の部分１８の内側に位置されてもよく、単純な挿嵌またはデテントなどの当業者に知られた任意のタイプの接続部であってもよく、これらは弱い横方向の力を加えると取り外しまたは取り付けできる。
【００３１】
ＣＤホルダ１２は、堅い成形プラスティック、紙またはＥＶＡフォームを含むがそれらに限定されない任意の適切な材料を含んでもよい。第１の部分１６および第２の部分１８は、重い板紙材料またはプラスティックなどの任意の適切な堅い材料から形成されてもよい。ＣＤホルダ１２は空洞３０および３２に挿入でき、第１の部分１６および第２の部分１８は、適切な接着剤で、または任意の適切な方法により、互いに組み立てられて、貼られた、例えば複数の層の選択された材料を含んでもよい。代わりに第１の部分１６および第２の部分１８は形成された一片であってもよい。
【００３２】
図４はスライド自在な表紙１４の組み立て図を示す。この実施の形態では、第１の部分１６および第２の部分は組立可能な複数の断片を含む。例えば、第１の部分１６は、基部片３５および頂部片３７をさらに含み、第２の部分１８は基部片３８および頂部片４０をさらに含む。空洞３０および３２はこの図でははっきり分かる。
【００３３】
両基部片３４および３８は突出部４２および４４と共に設けられ、それらの突出部は各々ＣＤホルダ１２の上に設けられた突出部４６と係合して、ＣＤホルダ１２から第１の部分１６および第２の部分１８が分離するのを防ぐ。
【００３４】
前に述べたように、第１の部分１６の基部片３５と頂部片３７、および第２の部分１８の基部片３８と頂部片４０は、適切な接着剤で、または任意の適切な方法により互いに組み立てられ、貼られてもよい。
【００３５】
図５および図６は、第１の部分１６および第２の部分１８の各々の突出部４２および４４のＣＤホルダ１２の突出部４６との関係をさらに示す。
【００３６】
図５は、第２の部分１８が横方向に移動して、ＣＤホルダ１２からＣＤ２４を取り外すために露出できることを示す矢印と共に、閉じた位置のスライド自在な表紙１４を示す。
【００３７】
図６は、第１の部分１６および第２の部分１８各々の突出部４２および４４がＣＤホルダ１２の突出部４６と係合して、第２の部分１８およびＣＤホルダ１２の可能な最大横移動を区画することにより、開いた位置のスライド自在な表紙１４を示す。
【００３８】
図７および図８は、本発明のまたもう１つの有利な実施の形態を示す。図７は、本の中に位置されるＣＤホルダ１１２および開いた位置で示されるスライド自在な表紙１１４を備えた本１１０を示す。スライド自在な表紙１１４は第１の部分１１６および第２の部分１１８を備え、それらは第１の部分１６および第２の部分１８にほぼ対応する。しかし、スライド自在な表紙１１４は、ページ１２８より大きい寸法になるように設けられる。スライド自在な表紙１１４は、適切なプラスティック材料、コーティングを施した紙材料または布地により覆われた堅い板材料をさらに含んでもよい。加えて、詰め物が、堅い板材料およびプラスティック、コーティングの施された紙または覆っている布地の間にさらに位置され、ＣＤの保護を強化し、本の価値を上げる。
【００３９】
図８は、本の中に位置されるＣＤホルダ１１２および閉じた位置で示されるスライド自在な表紙１１４を備えた本１１０を示す。本１１０およびスライド自在な表紙１１４の残りの特徴は、図１−６と共に説明した本１０およびスライド自在な表紙１４の説明にほぼ対応するので、ここでは再度説明しない。
【００４０】
図９から１１は本発明のさらにもう１つの有利な実施の形態を示す。図９は、本の中に位置されるＣＤホルダ２１２および閉じた位置で示されるスライド自在な表紙２１４を備えた本２１０を示す。スライド自在な表紙２１４は、図１０に示される矢印により横方向に移動可能な実質的に１つの断片を含む。図１０に示されているように、ＣＤホルダ２１２は、一端を、本２１０の装丁２２８に結合されている。
【００４１】
スライド自在な表紙２１４は、スライド自在な表紙２１４が閉じられた位置にある時、ＣＤ２２４が切り抜き２２２を通して見えるように、切り抜き２２２と共に任意でさらに設けられる。加えて、スライド自在な表紙２１４は、任意の適切な堅い材料を含み、所望により覆うプラスティックおよびそれらの間に位置される詰め物を含む。
【００４２】
図１１は、スライド自在な表紙２１４とＣＤホルダ２１２との関係を示す。スライド自在な表紙２１４およびＣＤホルダ２１２が互いに係合して固定されるように、スライド自在な表紙２１４の突出部２４４と係合する突出部２４６と共にＣＤホルダ２１２が設けられる。スライド自在な表紙２１４は空洞２３０と共に設けられ、図９に示されているようにスライド自在な表紙２１４が閉じた位置にある時、その空洞２３０の中にＣＤホルダ２１２が挿入できる。
【００４３】
加えて、図９から図１１に示された実施の形態の多くの特徴が、図１から図６に示された実施の形態に対応するので、ここでは再度説明しない。
【００４４】
図１２は、表紙３１４の中の空洞の中に、閉じた位置のスライド式記憶媒体ホルダまたはトレイ３１２を持つ発明３１０のさらにもう１つの実施の形態を示す。この実施の形態では、トレイが、表紙３１４の準円形切り抜き３１６により露出している。この切り抜きがあることにより、ユーザがトレイ３１２をつかんでトレイをスライドして開いた位置にすることができる。このつかむ場所は、本の表紙の境界線に沿った任意の場所に位置できる。図１３は、矢印の方向に開いた位置までスライドしてＣＤ／ＤＶＤ３１４の出し入れができるトレイ３１２を示す。
【００４５】
図１４は、図１２に示される実施の形態の断面図を示す。図は、開いた位置のトレイ３１２およびトレイが閉じた位置にある時トレイが位置する表紙の内部の空洞３１８を示す。トレイ３１２は突出部３２０を持ち、表紙は、トレイの本の表紙３１４からの脱落を防ぐ突出部３２２を持つ。
【００４６】
スライド自在な表紙の配置は、ＣＤホルダを表表紙に配置することにより説明してきたけれども、スライド自在な表紙の配置は本の裏表紙にも利用でき、あるいは本の表表紙と裏表紙との両方にも利用できることをさらに意図している。
【００４７】
さらに、ＣＤホルダは、本の前部または外部からアクセス可能なように説明してきたけれども、スライド自在の表紙の内部からＣＤホルダがＣＤにアクセス可能であることをさらに意図している。さらにＣＤの保管場所を増やすために、複数枚のＣＤが連続してＣＤホルダの中に配置されるように内部と外部の両方からＣＤを設置できるようにすることをさらに意図している。これは本の表表紙および裏表紙の両方で利用できる。種々のＣＤホルダが積み重ねられた配置から外側に揺れ動いて、種々のＣＤを出し入れできるような積み重ねの配置の複数のＣＤホルダに複数のＣＤが配置されてもよいことをまたさらに意図している。
【００４８】
本発明は、部分、特徴などの特定の構成を参照して説明してきたけれども、全ての可能な配置または特徴を廃するものではなく、他の多くの変形例は当業者にとって確かめられる。
【図面の簡単な説明】
【００４９】
【図１】完全に引っ込んで閉じた位置にあるスライド自在な本の表紙を示す本発明の１つの実施の形態の図
【図２】スライド自在な表紙により作成された継ぎ目を示す図１の断面図
【図３】開いた位置に完全に開いたスライド自在な本の表紙およびＣＤホルダを示す図１のスライド自在な本の表紙を示す図
【図４】図１のスライド自在な本の表紙の組み立て図
【図５】本の表紙部分とＣＤホルダとの関係を示す閉じた位置で示された図１のスライド自在な本の表紙のさらにもう１つの図
【図６】本の表紙部分とＣＤホルダとの関係を示す開いた位置で示された図１のスライド自在な本の表紙のさらにもう１つの図
【図７】開いた位置のスライド自在な本の表紙の本発明のもう１つの実施の形態の図
【図８】閉じた位置の図７のスライド自在な本の表紙のもう１つの図
【図９】閉じた位置のスライド自在な本の表紙を示す本発明のさらにもう１つの有利な実施の形態の図
【図１０】開いた位置の図９のスライド自在な本の表紙のもう１つの図
【図１１】スライド自在な本の表紙とＣＤホルダとの関係を示す開いた位置で示された図９のスライド自在な本の表紙のさらにもう１つの図
【図１２】閉じた位置のスライド自在なＣＤホルダを備えた本発明のもう１つの実施の形態の斜視図
【図１３】スライドして開いた位置のスライド自在なＣＤホルダを示す図１２に示された実施の形態の斜視図
【図１４】図１２に示された実施の形態の部分組み立て図および切り抜き図
【符号の説明】
【００５０】
１０  本
１２  ＣＤホルダ
１４  スライド自在表紙
１６  第１の部分
１８  第２の部分
２０  継ぎ目
２２  切り抜き
２４  ＣＤ
２６  ページ
２８  装丁
３０  空洞
３２  空洞
３４  凹部
３５  基部片
３６  ステム（ｓｔｅｍ）
３７  頂部片
４０  頂部片
４２  突出部
４４  突出部
４６  突出部
１１０  本
１１２  ＣＤホルダ
１１４  スライド自在な表紙
１１６  第１の部分
１１８  第２の部分
１２８  ページ
２１０  本
２１２  ＣＤホルダ
２１４  スライド自在な表紙
２２２  切り抜き
２２４  ＣＤ
２２８  装丁
２３０  空洞
２４４  突出部
２４６  突出部
３１０  発明
３１２  トレイ
３１４  表紙
３１６  準円形切り抜き
３１８  表紙の内部の空洞
３２０  突出部
３２２  突出部
【図１】
2006523158.tif 000003
【図２】
2006523158.tif 000004
【図３】
2006523158.tif 000005
【図４】
2006523158.tif 000006
【図５】
2006523158.tif 000007
【図６】
2006523158.tif 000008
【図７】
2006523158.tif 000009
【図８】
2006523158.tif 000010
【図９】
2006523158.tif 000011
【図１０】
2006523158.tif 000012
【図１１】
2006523158.tif 000013
【図１２】
2006523158.tif 000014
【図１３】
2006523158.tif 000015
【図１４】
2006523158.tif 000016
【国際調査報告】
2006523158.tif 000017